【手続補正書】
【提出日】平成16年3月15日(2004.3.15)
【手続補正１】
【補正対象書類名】明細書
【補正対象項目名】特許請求の範囲
【補正方法】変更
【補正の内容】
【特許請求の範囲】
【請求項１】
少なくともラジオ受信部及び媒体に記録された音響の再生部の何れかと、テレビジョン受信部と、画像表示部とを有するオーディオ・ビジュアル機器であって、機器の操作がされない状態が所定の時間経過した場合に前記画像表示部の表示を停止させる機能をもつ制御手段を有し、前記表示を停止させるまでの所定の時間が、機器が有する複数の動作モードに応じてそれぞれ異なることを特徴とするオーディオ・ビジュアル機器。
【請求項２】
少なくともラジオ受信部及び媒体に記録された音響の再生部の何れかと、テレビジョン受信部と、画像表示部とを有するオーディオ・ビジュアル機器であって、前記画像表示部の表示画面を覆うことができる開閉可能なカバーと、前記カバーが閉じた状態では画像表示部の表示を停止させる機能をもつ制御手段とを有し、前記制御手段は、前記カバーが開いている状態で、機器の操作がされない状態が所定の時間経過した場合に、画像表示部の表示を停止させ、前記表示を停止させるまでの所定の時間が、機器が有する複数の動作モードに応じてそれぞれ異なることを特徴とするオーディオ・ビジュアル機器。
【請求項３】
機器の操作がされない状態が所定の時間経過した場合に画像表示部の表示を停止させる機能を有効とするか無効とするかが設定される記憶手段を有することを特徴とする請求項１又は２記載のオーディオ・ビジュアル機器。
【請求項４】
前記記憶手段の設定は、機器の特定の動作モードを実行するときにのみに有効となることを特徴とする請求項３記載のオーディオ・ビジュアル機器。
【請求項５】
前記制御手段は、機器に対して所定の操作が行われた場合に画像表示部の表示を停止させることを特徴とする請求項２記載のオーディオ・ビジュアル機器。
【請求項６】
前記制御手段は、前記所定の操作によって画像の表示を停止させる直前に、画像表示部に所定の警告画面を表示させることを特徴とする請求項５記載のオーディオ・ビジュアル機器。
【請求項７】
前記制御手段は、前記警告画面が表示されている期間内に、前記カバーが閉じられて更に開かれた場合には、画像表示部の表示の停止を行わないことを特徴とする請求項６記載のオーディオ・ビジュアル機器。
【請求項８】
前記制御手段は、前記所定時間の経過又は前記所定の操作によって画像表示部の表示を停止している期間に、機器の操作が行われた場合には画像表示部の表示を復帰させることを特徴とする請求項１乃至７の何れかに記載のオーディオ・ビジュアル機器。
【請求項９】
前記制御手段は、前記所定時間の経過又は前記所定の操作によって画像表示部の表示を停止している期間に、機器の内部状態が所定の状態になった場合に画像表示部の表示を一時的に復帰させて、その状態に応じた画像を表示させることを特徴とする請求項１乃至８の何れかに記載のオーディオ・ビジュアル機器。
【請求項１０】
各種の操作をする操作部を備え、前記制御手段は、該操作部の操作が無い状態の継続時間を計測し、機器の操作がされない状態が所定時間経過すると、前記画像表示部に表示を停止させるための制御信号を送出することを特徴とする請求項１記載のオーディオ・ビジュアル機器。
【請求項１１】
各種の操作をする操作部を備え、前記制御手段は、該操作部の操作の内、所定の操作を検出すると、前記画像表示部に表示を停止させるための制御信号を送出することを特徴とする請求項５記載のオーディオ・ビジュアル機器。
【請求項１２】
各種の操作をする操作部と、前記カバーの開閉を検出する表示スイッチとを備え、前記制御手段は、該表示スイッチがカバーの開状態を検出している状態で、前記操作部の操作が無い状態の継続時間を計測し、機器の操作がされない状態が所定時間経過すると、前記画像表示部に表示を停止させるための制御信号を送出することを特徴とする請求項２記載のオーディオ・ビジュアル機器。
【手続補正２】
【補正対象書類名】明細書
【補正対象項目名】０００８
【補正方法】変更
【補正の内容】
【０００８】
【課題を解決するための手段】
（１）本発明の一つの態様に係るオーディオ・ビジュアル機器は、少なくともラジオ受信部及び媒体に記録された音響の再生部の何れかと、テレビジョン受信部と、画像表示部とを有するオーディオ・ビジュアル機器であって、機器の操作がされない状態が所定の時間経過した場合に画像表示部の表示を停止させる機能をもつ制御手段を有し、前記表示を停止させるまでの所定の時間が、機器が有する複数の動作モードに応じてそれぞれ異なる。本発明において、制御手段は機器の操作がされない状態が所定の時間経過した場合には画像表示部の表示を停止させるようにしたので、消費電力の削減を図ることが可能になっている。また、前記以外の状態においては画像表示部の表示が継続しており、全体として適切な表示が可能になっている。また、表示を停止させるまでの所定の時間が、機器が有する複数の動作モードに応じてそれぞれ異なっており、例えば後述のオーディオモードとＦＭラジオ受信モードとでは、必要な表示量が異なるので、その動作モードに応じて表示時間（所定の時間）を適宜設定して、適切な画像表示を可能にしている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
（２）本発明の他の態様に係るオーディオ・ビジュアル機器は、少なくともラジオ受信部及び媒体に記録された音響の再生部の何れかと、テレビジョン受信部と、画像表示部とを有するオーディオ・ビジュアル機器であって、画像表示部の表示画面を覆うことができる開閉可能なカバーと、カバーが閉じた状態では画像表示を停止させる機能をもつ制御手段とを有し、前記制御手段は、前記カバーが開いている状態で、機器の操作がされない状態が所定の時間経過した場合に、画像表示部の表示を停止させ、前記表示を停止させるまでの所定の時間が、機器が有する複数の動作モードに応じてそれぞれ異なる。本発明においては、カバーが画像表示部の表示画面を覆っている状態においては、表示が不要であるから、画像表示部の表示を停止させる。このようにして表示を停止させることにより消費電力の削減を図っている。また、表示が不要な場合において表示を停止して、それ以外の状態では原則的には表示が行われており、適切な画像表示が行われている。また、カバーが開いている状態であっても、機器の操作がされない状態が所定の時間経過した場合には、画像表示部の表示を停止させる。このようにして表示を停止させることにより消費電力の削減を図っている。更に、表示を停止させるまでの所定の時間が、機器が有する複数の動作モードに応じてそれぞれ異なっており、例えば後述のオーディオモードとＦＭラジオ受信モードとでは、必要な表示量が異なるので、その動作モードに応じて表示時間（所定の時間）を適宜設定して、適切な画像表示を可能にしている。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
（３）本発明の他の態様に係るオーディオ・ビジュアル機器は、上記（１）又は（２）のオーディオ・ビジュアル機器において、機器の操作がされない状態が所定の時間経過した場合に画像表示部の表示を停止させる機能（オートオフ機能）を有効とするか無効とするかが設定される記憶手段を有する。本発明においては、記憶手段にオートオフ機能を有効とするか無効とするかが設定され、その設定内容に従って画像表示部の表示を制御する。


【手続補正８】
【補正対象書類名】明細書
【補正対象項目名】００１４
【補正方法】変更
【補正の内容】
【００１４】
（４）本発明の他の態様に係るオーディオ・ビジュアル機器は、上記（３）のオーディオ・ビジュアル機器において、記憶手段の設定は機器の特定の動作モードを実行するときのみに有効となる。本発明において、上記の設定は無条件に有効ではなく、例えば後述の例に示されるように、オーディオモード、ＦＭラジオ受信モード等の特定の動作モードにおいてのみ有効とし、テレビ受信モードにおいては無効にすることができる。


【手続補正９】
【補正対象書類名】明細書
【補正対象項目名】００１５
【補正方法】変更
【補正の内容】
【００１５】
（５）本発明の他の態様に係るオーディオ・ビジュアル機器は、上記（２）のオーディオ・ビジュアル機器において、制御手段は、機器に対して所定の操作が行われた場合に画像表示部の表示を停止させる機能をもつものである。本発明において、制御手段は、カバーが開いている状態で、機器に対して所定の操作が行われた場合に画像表示部の表示を停止させる。例えば後述の実施の形態において、動作モードがテレビ受信モードの場合には、カバーが開いている状態で選択スイッチを操作したときにのみ画像表示部の表示を停止するようにしており、原則的には表示が行われ、特定の条件でのみ表示を停止するようにしているので、消費電力の削減とともに、その動作モードに対応した適切な画像表示が行われている。


【手続補正１０】
【補正対象書類名】明細書
【補正対象項目名】００１６
【補正方法】変更
【補正の内容】
【００１６】
（６）本発明の他の態様に係るオーディオ・ビジュアル機器は、上記（５）のオーディオ・ビジュアル機器において、制御手段は、所定の操作によって画像の表示を停止させる直前に、画像表示部に所定の警告画面を表示させるものである。本発明においては、画像表示部に所定の警告画面を表示させた後に画像の表示を停止し、表示の停止が故障等でないことを明確にしている。


【手続補正１１】
【補正対象書類名】明細書
【補正対象項目名】００１７
【補正方法】変更
【補正の内容】
【００１７】
（７）本発明の他の態様に係るオーディオ・ビジュアル機器は、上記（６）のオーディオ・ビジュアル機器において、制御手段は、警告画面が表示されている期間内に、カバーが閉じられて更に開かれた場合には、画像表示部の表示の停止を行わない。本発明においては、警告画面が表示されている期間内に、ユーザーがカバーを閉じてから再びカバーを開くという特異な操作をした場合には、表示を継続したいというユーザーの意志があるものとして、画像表示部の表示の停止を行わないで表示を継続する。


【手続補正１２】
【補正対象書類名】明細書
【補正対象項目名】００１８
【補正方法】変更
【補正の内容】
【００１８】
（８）本発明の他の態様に係るオーディオ・ビジュアル機器は、上記（１）乃至（７）のオーディオ・ビジュアル機器において、制御手段は、所定時間の経過又は前記所定の操作によって画像表示部の表示を停止している期間に、機器の操作が行われた場合には画像表示部の表示を復帰させるものである。本発明においては、上述のように画像表示部の表示を停止した後に、機器の操作が行われた場合には、表示の必要があるものとして、画像表示部の表示を復帰させて表示させる。


【手続補正１３】
【補正対象書類名】明細書
【補正対象項目名】００１９
【補正方法】変更
【補正の内容】
【００１９】
（９）本発明の他の態様に係るオーディオ・ビジュアル機器は、上記（１）乃至（８）のオーディオ・ビジュアル機器において、制御手段は、所定時間の経過又は所定の操作によって画像表示部の表示を停止している期間に、機器の内部状態が所定の状態になった場合に画像表示部の表示を一時的に復帰させて、その状態に応じた画像を表示させるものである。本発明においては、機器の内部状態が所定の状態になった場合、例えば電源電圧が所定のレベル以下に低下した場合にはそのことを知らせる必要があるので、画像表示部の表示を一時的に復帰させてその状態に応じた画像を表示させている。


【手続補正１４】
【補正対象書類名】明細書
【補正対象項目名】００２０
【補正方法】変更
【補正の内容】
【００２０】
（１０）本発明の他の態様に係るオーディオ・ビジュアル機器は、上記（１）のオーディオ・ビジュアル機器において、各種の操作をする操作部を備え、制御手段は、操作部の操作が無い状態の継続時間を計測し、機器の操作がされない状態が所定時間経過すると、画像表示部に表示を停止させるための制御信号を送出する。


【手続補正１５】
【補正対象書類名】明細書
【補正対象項目名】００２１
【補正方法】変更
【補正の内容】
【００２１】
（１１）本発明の他の態様に係るオーディオ・ビジュアル機器は、上記（５）のオーディオ・ビジュアル機器において、各種の操作をする操作部を備え、制御手段は、操作部の操作の内、所定の操作を検出すると、画像表示部に表示を停止させるための制御信号を送出する。


【手続補正１６】
【補正対象書類名】明細書
【補正対象項目名】００２２
【補正方法】変更
【補正の内容】
【００２２】
（１２）本発明の他の態様に係るオーディオ・ビジュアル機器は、上記（２）のオーディオ・ビジュアル機器において、各種の操作をする操作部と、カバーの開閉を検出する表示スイッチとを備え、制御手段は、表示スイッチがカバーの開状態を検出している状態で、操作部の操作が無い状態の継続時間を計測し、機器の操作が無い状態が所定時間経過すると、画像表示部の表示を停止させるための制御信号を送出する。